【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
外部から受信した印刷ジョブが認証印刷ジョブか通常印刷ジョブかを判定する判定部と、
前記判定部により認証印刷ジョブであると判定された場合、当該認証印刷ジョブに対して、認証印刷処理を実行し、
前記判定部により通常印刷ジョブであると判定された場合、当該通常印刷ジョブに対して、強制的に認証印刷処理を実行する制御部と、
を備えることを特徴とする画像処理装置。
【請求項２】
第１のモードと第２のモードとのいずれのモードであるかを判定するモード管理部を更に備え、
前記制御部は、
前記モード管理部により前記第１のモードであると判定され、かつ、前記判定部により通常ジョブであると判定された場合、当該通常印刷ジョブに対して、強制的に認証印刷処理を実行し、
前記モード管理部により前記第２のモードであると判定され、かつ、前記判定部により通常ジョブであると判定された場合、当該通常印刷ジョブに対して、通常印刷処理を実行する
ことを特徴とする請求項１に記載の画像処理装置。
【請求項３】
前記判定部は、外部から受信した前記印刷ジョブから認証印刷ジョブ識別情報を検知すると、当該印刷ジョブが認証印刷ジョブ識別情報であると判定する
ことを特徴とする請求項２に記載の画像処理装置。
【請求項４】
ユーザ識別情報を受付ける識別情報受付部と、
外部から受信した印刷ジョブに基づいて、媒体に画像を形成する画像形成部と、
を更に備え、
前記制御部は、
前記識別情報受付部により受付けられたユーザ識別情報と、前記印刷ジョブに含まれるユーザ識別情報と、を照合し、
照合の結果、前記各ユーザ識別情報が対応している場合、前記画像形成部に対して前記印刷ジョブに基づく媒体への画像形成を実行させ、
照合の結果、前記各ユーザ識別情報が対応していない場合、前記画像形成部に対して前記印刷ジョブに基づく媒体への画像形成の実行を制限する
ことにより前記認証印刷処理を実現する
ことを特徴とする請求項３に記載の画像処理装置。
【請求項５】
前記制御部は、
前記照合を行うこと無しに、前記画像形成部に対して前記外部から受信した印刷ジョブに基づく媒体への画像形成を実行させる
ことにより前記通常印刷処理を実現する
ことを特徴とする請求項４に記載の画像処理装置。
【請求項６】
外部から受信した通常印刷ジョブを記憶する通常印刷ジョブ記憶部と、
外部から受信した認証印刷ジョブを記憶する認証印刷ジョブ記憶部と、
を更に備え、
前記制御部は、
前記モード管理部により前記第１のモードであると判定された場合、外部から受信した通常印刷ジョブを前記通常印刷ジョブ記憶部に記憶させ、前記識別情報受付部により受付けられたユーザ識別情報と、前記通常印刷ジョブ記憶部に記憶されている通常印刷ジョブに含まれるユーザ識別情報と、を照合して前記認証印刷処理を実行し、
前記モード管理部により前記第２のモードであると判定された場合、外部から受信した通常印刷ジョブを前記通常印刷ジョブ記憶部に記憶させること無しに、前記通常印刷処理を実行し、
前記第１のモード、第２のモードに関わらず、外部から受信した認証印刷ジョブを前記認証印刷ジョブ記憶部に記憶させ、前記識別情報受付部により受付けられたユーザ識別情報と、前記認証印刷ジョブ記憶部に記憶されている認証印刷ジョブに含まれるユーザ識別情報と、を照合して前記認証印刷処理を実行する
ことを特徴とする請求項５に記載の画像処理装置。
【請求項７】
前記通常印刷ジョブ記憶部に記憶された前記通常印刷ジョブについてのキャンセルの指示と、前記認証印刷ジョブ記憶部に記憶された前記認証印刷ジョブについてのキャンセルの指示と、を受付けるジョブキャンセル指示受付部と、
前記ジョブキャンセル指示受付部により受付けた指示に基づいて、前記認証印刷ジョブと前記通常印刷ジョブについてのキャンセルを実行するジョブキャンセル処理部と、
前記ジョブキャンセル指示受付部により前記通常印刷ジョブについてのキャンセルの指示を受付けると、当該キャンセルに関するログを生成し、前記ジョブキャンセル指示受付部により前記認証印刷ジョブについてのキャンセルの指示を受付けると、前記キャンセルに関するログを生成しないログ生成部と、
を備えることを特徴とする請求項６に記載の画像処理装置。
【請求項８】
前記制御部は、前記印刷ジョブに含まれるジョブキャンセル時間情報と、前記印刷ジョブを受信してからの経過時間とに基づいて、受信した印刷ジョブをキャンセルする
ことを特徴とする請求項１から請求項７のいずれか１項に記載の画像処理装置。
【請求項９】
外部から受信した印刷ジョブが認証印刷ジョブか通常印刷ジョブかを判定し、
前記印刷ジョブが認証印刷ジョブであると判定された場合、当該認証印刷ジョブに対して、認証印刷処理を実行し、
前記印刷ジョブが通常印刷ジョブであると判定された場合、当該通常印刷ジョブに対して、強制的に認証印刷処理を実行する
ことを特徴とする印刷ジョブ管理方法。
【請求項１０】
画像処理装置と情報処理装置とが通信可能に接続された画像形成システムであって、
前記情報処理装置は、
ジョブキャンセル時間の指定を受付け、ジョブキャンセル時間情報を生成し、
ジョブキャンセル時間情報とユーザ識別情報と画像データとを含む印刷ジョブを生成し、前記印刷ジョブを前記画像処理装置に送信する情報処理制御部
を備え、
前記画像処理装置は、
前記情報処理装置から受信した印刷ジョブが認証印刷ジョブか通常印刷ジョブかを判定する判定部と、
前記判定部により認証印刷ジョブであると判定された場合、当該認証印刷ジョブに対して、認証印刷処理を実行し、
前記判定部により通常印刷ジョブであると判定された場合、当該通常印刷ジョブに対して、強制的に認証印刷処理を実行する制御部と、
を備え、
前記制御部は、前記印刷ジョブに含まれるジョブキャンセル時間情報と、前記印刷ジョブを受信してからの経過時間とに基づいて、受信した印刷ジョブをキャンセルする
ことを特徴とする画像形成システム。
【手続補正２】
【補正対象書類名】明細書
【補正対象項目名】発明の名称
【補正方法】変更
【補正の内容】
【発明の名称】画像処理装置、印刷ジョブ管理方法および画像形成システム
【手続補正３】
【補正対象書類名】明細書
【補正対象項目名】０００１
【補正方法】変更
【補正の内容】
【０００１】
本発明は、上位装置から印刷ジョブを受信して画像を形成する画像処理装置、その画像処理装置を備えた画像形成システム、および印刷ジョブ管理方法に関する。
【手続補正４】
【補正対象書類名】明細書
【補正対象項目名】０００５
【補正方法】変更
【補正の内容】
【０００５】
そのため、本発明は、外部から受信した印刷ジョブが認証印刷ジョブか通常印刷ジョブかを判定する判定部と、前記判定部により認証印刷ジョブであると判定された場合、当該認証印刷ジョブに対して、認証印刷処理を実行し、前記判定部により通常印刷ジョブであると判定された場合、当該通常印刷ジョブに対して、強制的に認証印刷処理を実行する制御部と、を備えることを特徴とする。
【手続補正５】
【補正対象書類名】明細書
【補正対象項目名】０００８
【補正方法】変更
【補正の内容】
【０００８】
以下、図面を参照して本発明による画像処理装置、印刷ジョブ管理方法および画像形成システムの実施例を説明する。